(57)【要約】【課題】文書の記入欄の位置、大きさに応じて、その記入欄を目視可能とし得る。【解決手段】文書２１上に重ねられ表面に剥離層１３を有する透明シート１１と、片面に粘着層１４を有する半透明シート１２とから構成される。半透明シート１２は、所定間隔をおいて長辺及び短辺方向に延びる複数の切れ目線１５を有し、これら複数の切れ目線１５で半透明シート１２が区切られて、剥離片１６が多数形成される。透明シート１１の剥離層１３上に粘着層１４を介して半透明シート１２が貼り合わされる。重ねられた文書２１内の記入欄２２を覆う位置の剥離片１６を剥がすことにより、その記入欄２２の位置に合わせて透明欄１７が形成され、これを通して文書２１の記入欄２２が目視可能となるとともに、その必要事項の記入欄２２が目立ち、その記入欄２２の誤記や記入漏れを容易にチェックすることができる。【選択図】図２
2008284830.tif 000002
【特許請求の範囲】
【請求項１】
透明シート上に半透明シートが剥離可能に貼り付けられ、前記半透明シートは、縦及び横方向の切れ目線が所定間隔をおいて方眼状に設けられ、前記半透明シートの切れ目線に囲まれた部分が切り抜き可能であるチェックシート。
【請求項２】
前記半透明シートの切れ目線が、その半透明シートの全面に設けられた請求項１に記載のチェックシート。
【請求項３】
前記透明シートは、一対の透明なシート状物を重ね合わせたものであり、その一対のシート状物のそれぞれに前記半透明シートが貼り付けられた請求項１または２のいずれかに記載のチェックシート。
【請求項４】
半透明シートに縦及び横方向の切れ目線が、その半透明シートの厚み方向または幅方向の一部を残した状態で所定間隔をおいて方眼状に設けられ、その切れ目線に囲まれた部分が切り抜き可能であるチェックシート。
【請求項５】
前記半透明シートの切れ目線が、その半透明シートの全面に設けられた請求項４に記載のチェックシート。
【発明の詳細な説明】
【技術分野】
【０００１】
この発明は、契約書、申請書などの文書上に重ねられ、その文書の必要事項の誤記や記入漏れをチェックするチェックシートに関する。
【背景技術】
【０００２】
一般に、例えば、保険契約や申請時には、保険契約書、申請書などの文書に必要事項を契約者、申請者に記入させて、保険契約や申請が行われている。その文書の必要事項は、保険契約内容あるいは申請内容によって異なり、また、必要事項の記入欄の位置や数も様々である。そのため、このような文書の多数の記入欄の誤記や記入漏れを完全にチェックすることは難しく、手間と時間がかかるものであった。また、実際に誤記、記入漏れがあれば、再度、契約者等に補充、訂正を求める必要があり、この補充、訂正にも手間がかかっていた。
【０００３】
このチェックにかかる手間を省くために、従来から、前記の保険契約書等の文書上に重ねられ、その必要事項の記入欄のみを目視可能とするチェックシートがある。このチェックシートとしては、例えば、特許文献１に記載されたものが知られている。このものは、樹脂シートに、前記文書の記載事項を遮蔽する遮蔽部と、この遮蔽部中に設けられ文書中の必要事項の記入欄を目視可能とする透明欄と、この透明欄の近傍に設けられる不透明欄とを備えたものである（特許文献１参照）。
【特許文献１】実用新案登録第３１２９９５５号公報
【０００４】
このチェックシートを文書の上に重ねると、文書中の記載事項が遮蔽部により遮蔽されるとともに、必要事項の記入欄が透明欄を通して目視可能となる。これにより、必要事項の記入欄のみがよく見えることとなり、その記入欄の誤記、記入漏れを容易にチェックすることができる。
【発明の開示】
【発明が解決しようとする課題】
【０００５】
ところで、このチェックシートは、通常、所定の文書に対して使用され、必要事項の記入欄が目視できる位置に設けた透明欄の位置を変えることができないものであった。このため、書式の異なる文書、すなわち、記入欄の位置、大きさが異なる文書に対しては使用することができない。異なる書式の文書に対して使用するには、その文書の記入欄が目視可能となる位置に透明欄を設けたチェックシートを、別途作成しなければならなかった。
【０００６】
そこで、書式の異なる任意の文書の記入欄の位置に応じて、その記入欄を目視可能となる透明欄を形成しうることを課題とする。
【課題を解決するための手段】
【０００７】
前記の課題を解決するために、この発明のチェックシートは、透明シート上に半透明シートが剥離可能に貼り付けられ、前記半透明シートは、縦及び横方向の切れ目線が所定間隔をおいて方眼状に設けられ、前記半透明シートの切れ目線に囲まれた部分が切り抜き可能である構成を採用したのである。
【０００８】
このようにすると、半透明シートは方眼状の切れ目線を有しているので、例えば、チェックする文書の書式によって、その必要事項の記入欄の位置、大きさが異なるものであっても、記入欄を覆う位置の切り目線で区切られた半透明シートの一部を剥がすことができる。これにより、露出した透明シートの一部である透明欄が形成され、その透明欄を通して各記入欄を目視可能とすることができる。
【０００９】
前記半透明シートの切れ目線が、その半透明シートの全面に設けられると、半透明シートの全面にわたる切れ目線で区切られた半透明シートの一部を剥がし、前記透明欄を形成することができる。
【００１０】
さらに、前記透明シートは、一対の透明なシート状物を重ね合わせたものであり、その一対のシート状物のそれぞれに前記半透明シートが貼り付けられた構成を採用することができる。この透明シート体の間にチェックする文書を差し込むと、その文書の位置決めが容易となる。
【００１１】
前記の課題を解決するために、この発明のチェックシートは、半透明シートに縦及び横方向の切れ目線が、その半透明シートの厚み方向または幅方向の一部を残した状態で所定間隔をおいて方眼状に設けられ、その切れ目線に囲まれた部分が切り抜き可能である構成を採用することができる。
【００１２】
この構成によると、半透明シートは、その厚み方向または幅方向の一部を残した状態となっている方眼状の切れ目線を有しているので、例えば、チェックする文書の書式によって、その必要事項の記入欄の位置、大きさが異なるものであっても、記入欄を覆う位置の切り目線で区切られた半透明シートの一部を切り抜くことができる。これにより、半透明シートの切り抜き部である透明欄が形成され、その透明欄を通して各記入欄を目視可能とすることができる。
【００１３】
また、前記半透明シートの切れ目線が、その半透明シートの全面に設けられると、半透明シートの全面にわたって、切れ目線で区切られた半透明シートの一部を切り抜いて、前記透明欄を形成することができる。
【発明の効果】
【００１４】
以上のように、この発明は、任意の書式の文書の記入欄を覆う位置に透明欄が形成され、その透明欄を通して記入欄を目視可能となり、記入欄以外の部分が半透明シートで覆われるので、各記入欄が目立ち、その位置がよく見えて、誤記や記入漏れを容易にチェックすることができる。
【発明を実施するための最良の形態】
【００１５】
この発明の実施例のチェックシートを添付図面に基づいて説明する。
【実施例１】
【００１６】
この実施例１のチェックシート１０は、図１（ａ）に示すように、合成樹脂製の透明シート１１と、この透明シート上に貼り付けられる合成樹脂製の半透明シート１２とから構成され、契約書、申請書などの文書２１上に重ねるものである。
【００１７】
前記透明シート１１は、柔軟性を備える合成樹脂からなる透明な矩形のシート状物であり、その片面に、例えば、長鎖アルキル基ポリマー、フッ素ポリマーやシリコーン樹脂などの剥離剤からなる剥離層１３が設けられる（図１（ｂ）参照）。なお、この透明シート１１は、柔軟性を備えるシート状物に限らず、例えば、厚みが０．５ｍｍ〜１．０ｍｍ程度の合成樹脂製の半透明の薄板状のシートであってもよい。この場合、この透明シート１１は、その裏面（半透明シート１２の貼り付け面に対して反対側の面）で、文字を書く際の下敷きとして使用することができる。
【００１８】
この透明シート１１に貼り付けられる半透明シート１２は、柔軟性を備える合成樹脂からなる半透明な矩形のシート状物であり、前記透明シート１１と同じ大きさに形成される。その半透明シート１２の片面には、例えば、アクリル系ポリマーなどの粘着剤からなる粘着層１４が設けられている。
【００１９】
半透明シート１２は、薄い緑色に着色され、文書２１内の記載事項２３（あらかじめ文書２１に印刷等されたものであり、例えば、契約者の記入すべき質問事項等）を覆うものである。この半透明シート１２を通して文書２１内の前記記載事項２３が判読可能となっている。なお、この半透明シート１２（シート状物）の色は、薄い緑色に限らず、例えば、薄い青色、薄い赤色、薄い灰色などであってもよく、文書２１内の記載事項２３が判読可能となる色であればよい。ここで、判読可能とは、文書２１の記載事項２３を半透明シート１２を通して凝視すれば判読することができる意味を含むものである。
【００２０】
また、この半透明シート１２は、その全面に所定間隔ａをおいて長辺及び短辺方向（縦及び横方向）の切れ目線１５が方眼状に設けられる。これらの切れ目線１５で半透明シート１２が区切られて、矩形の剥離片１６が多数形成され、この各剥離片１６（切り目線１５で囲まれた部分）が透明シート１１から剥離可能となる（図１（ｂ）一点鎖線参照）。
【００２１】
前記各切れ目線１５は、前記半透明シート１２の全面に設けられているが、半透明シート１２の周縁部が透明シート１１から剥がれにくくする目的で、半透明シート１２の周縁部に切り目線１５を設けない構成とすることができる。なお、この切れ目線１５は、図１（ｂ）に示すように、粘着層１４にまで達する切れ目線に限らず、半透明シート１２の厚み方向の一部を残した状態で設けられた切れ目線（いわゆる、ハーフカット等）を含む。また、縦及び横方向に連続的にまたは間欠的に延びるもの（ミシン目状）であってもよい。要は、各剥離片１６を個々に剥がすことができるものであればよい。
【００２２】
半透明シート１２のそれぞれの切れ目線１５の間隔ａは、例えば、５ｍｍ間隔が好ましい。この間隔ａをおいて複数の切れ目線１５が設けられると、文書２１内の必要事項の各記入欄２２の位置に合わせて、各記入欄２２のほぼ全域を覆う複数枚の剥離片１６（切り目線１５で囲まれた部分）を剥がすことができる。これにより、透明シート１１の一部である透明欄１７が、それぞれの記入欄２２のほぼ全域を占めるように形成される（図２（ａ）参照）。
【００２３】
このようにして、前記チェックシート１０が構成され、このチェックシート１０を用いて契約書、申請書等の文書２１をチェックするには、まず、必要事項が未記入である文書２１上にチェックシート１０を重ね合わせる。
【００２４】
この重ね合わせた状態で、文書２１内の必要事項の記入欄２２を覆う位置の複数枚の剥離片１６を剥がす。剥離片１６を剥がすと、図３に示すように、記入欄２２のほぼ全域を占める前記透明欄１７が形成され、これを通して文書２１の記入欄２２が目視可能となる。
【００２５】
続いて、前記文書２１を、契約者等が記入欄２２に必要事項を記入した文書２１に差し替える。差し替えた文書２１では、チェックシート１０の、文書２１の記入欄２２を覆う位置の剥離片１６が既に剥がされている（図４参照）。このとき、図５（ａ）、（ｂ）に示すように、文書２１内の記載事項２３が色付きの半透明シート１２に覆われ、必要事項の記入欄２２が透明欄１７により覆われている。このため、この記入欄２２が目立ち、その位置がよく見え、誤記や記入漏れを容易にチェックすることができる。
【００２６】
また、記入欄２２のチェック時において、記入欄２２の記入内容に対する質問を確認するには、半透明シート１２を通して文書２１内の記載事項２３（質問事項）を判読することができる。このため、チェックシート１０から文書２１を外して直接記載事項を確認する必要がない。
【００２７】
さらに、前記文書２１を他の文書２１（例えば、他の保険会社の契約書など）に差し替えた場合、差し替え後の文書２１の必要事項の記入欄２２を覆う位置の剥離片１６を剥がし、すでに剥離片１６が剥がされている透明欄１７上に再度貼り付ける。
【００２８】
この再貼り付け作業を行うことで、差し替え後の文書２１の記入欄２２の位置に合わせて新たに透明欄１７が形成され、これを通して目視可能とすることができる。このように、差し替え後の文書２１に応じて透明欄１７の位置を変えることができるので、チェックシート１０を再利用することができる。
【実施例２】
【００２９】
次に、この発明の実施例２を添付図面に基づいて説明する。
この実施例２のチェックシート１０は、図６に示すように、透明シート１１が相互に重ね合わせた一対のシート状物１８、１８からなり、その一対のシート状物１８、１８の間に前記文書２１を差し込み可能となっている点で前述の実施例１と相違する。その他の構成は実施例１と同様である。
【００３０】
すなわち、この実施例２の透明シート１１は、一対の透明な矩形のシート状物１８、１８を重ね合わせ、これらの対向する短辺及び長辺のうちの一方の短辺１８ａ及び長辺１８ｂの縁部同士を熱溶着や超音波溶融等により貼り合せたものである。
【００３１】
この一対のシート状物１８は、前述の実施例１の透明シート１１と同様に、その一面（外面）に剥離層１３が形成されており、これらの外面には前記半透明シート１２が貼り付けられる。なお、一対のシート状物１８は、その一方にのみ前記半透明シート１２を貼り付けたものであってもよい。
【００３２】
この一対のシート状物１８、１８からなる透明シート１１の間に文書２１を差し込む。この差し込んだ文書２１内の記入欄２２を覆う位置の剥離片１６を剥がすことにより、前記透明欄１７が形成され、これを通して文書２１の記入欄２２が目視可能となる。
【００３３】
また、一対のシート状物１８、１８は、それぞれ異なる文書２１に対して、その半透明シート１２の剥離片１６を剥がして、記入欄２２の位置に合わせて透明欄１７を形成することができる。このため、透明シート１１は、その表と裏で、異なる文書２１に対してチェックすることができる。
【実施例３】
【００３４】
次に、この発明の実施例３を添付図面に基づいて説明する。
【００３５】
この実施例３のチェックシート１０は、図７に示すように、半透明シート１２に縦方向及び横方向の切れ目線１５が方眼状に設けられ、その切れ目線１５に囲まれた部分が、切り取り可能である構成となっている。
【００３６】
この実施例３のチェックシート１０において、図７（ａ）に示すように、その半透明シート１２は、柔軟性を備える合成樹脂からなる半透明な矩形のシート状物である。その半透明シート１２の全面に、切れ目線１５が間隔ａをおいて方眼状に設けられる。なお、この半透明シートは、柔軟性を備えるシート状物に限らず、例えば、厚みが０．５ｍｍ〜１．０ｍｍ程度の合成樹脂製の半透明の薄板状のシートであってもよく、要は、後述の剥離片１６を切り目線１５に沿って切り抜くことができるものであればよい。
【００３７】
この切れ目線１５は、図７（ｃ）に示すように、半透明シート１２の厚み方向の一部を残した状態（いわゆる、ハーフカット等）で設けられ、この切れ目線１５で区切られて、半透明シート１２から矩形の剥離片１６が多数形成され、この各剥離片１６（切り目線１５で囲まれた部分）が切り抜き可能となる（図７（ｂ）一点鎖線参照）。
【００３８】
また、この切れ目線１５は、半透明シート１２の全面に設けられているが、半透明シート１２の剥離片１６が不必要に千切れないように、半透明シート１２の周縁部に切り目線１５を設けない構成とすることができる。なお、この切れ目線１５は、前述の実施例１の場合と同様、縦及び横方向に間欠的（半透明シート１２の幅方向の一部を残した状態、例えば、ミシン目状）に設けたものであってもよく、剥離片１６を個々に剥がすことができるものであれば、その形状は任意である。
【００３９】
この実施例３のチェックシート１０を使用するには、まず、必要事項の記入欄２２が未記入である文書２１上にチェックシート１０を重ね合わせる。
【００４０】
この重ね合わせた状態で、文書２１内の必要事項の記入欄２２を覆う位置の複数枚の剥離片１６を切り抜く。剥離片１６を切り抜くと、記入欄２２のほぼ全域を占める透明欄１７が形成され、これを通して文書２１の記入欄２２が目視可能となる。
【００４１】
続いて、前記文書２１を、契約者等が記入欄２２に必要事項を記入した文書２１に差し替える。差し替えた文書２１では、その記載事項２３が色付きの半透明シート１２に覆われ、必要事項の記入欄２２が透明欄１７（開口孔）となっている。このため、この記入欄２２が目立ち、その位置がよく見え、誤記や記入漏れを容易にチェックすることができる。
【図面の簡単な説明】
【００４２】
【図１】（ａ）この発明の実施例１のチェックシートを示す斜視図、（ｂ）図１（ａ）のＡ−Ａ線における断面図
【図２】（ａ）同上のチェックシートの剥離片を剥がした状態を示す平面図、（ｂ）図２（ａ）のＢ−Ｂ線における断面図
【図３】同上のチェックシートの使用状態を示す平面図
【図４】同上のチェックシートの使用状態を示す一部拡大斜視図
【図５】同上のチェックシートの使用状態を示す説明図、（ｂ）図５（ａ）のＣ−Ｃ線における断面図
【図６】この発明の実施例２のチェックシートを示す斜視図
【図７】（ａ）この発明の実施例３のチェックシートを示す斜視図、（ｂ）図７（ａ）のＤ−Ｄ線における断面図、（ｃ）図７（ｂ）の要部拡大断面図
【符号の説明】
【００４３】
１０  チェックシート
１１  透明シート
１２  半透明シート
１３  剥離層
１４  粘着層
１５  切れ目線
１６  剥離片
１７  透明欄
１８  シート状物
１８ａ  短辺部
１８ｂ  長辺部
２０  シート状物
２０ａ  短辺部
２０ｂ  長辺部
２１  文書
２２  記入欄
２３  記載事項
【図１】
2008284830.tif 000003
【図２】
2008284830.tif 000004
【図３】
2008284830.tif 000005
【図４】
2008284830.tif 000006
【図５】
2008284830.tif 000007
【図６】
2008284830.tif 000008
【図７】
2008284830.tif 000009